(57)【要約】【課題】  周波数を自動的に調整することにより、出力の周波数に対して周波数ジッターの現象を防止する構成を有するシリコン製デジタルオシレータを提供する。【解決手段】  基本周波数発生器と、クロックパルス監視及び調整回路と、データセーブ部材と、周波数発生器と、方形波発生器とを有するシリコン製デジタルオシレータであって、前記基本周波数発生器は、標準の基本振動周波数を発生するために用いられ、前記クロックパルス監視及び調整回路は、前記標準の基本振動周波数を調整するために用いられ、前記データセーブ部材は、前記標準の基本振動周波数の調整で発生する誤差値を記憶するために用いられ、前記周波数発生器は前記調整後の基本周波数に基づいて出力周波数を発生し、前記方形波発生器は、前記デジタル出力周波数の数値に従ってより大きいデジタル周波数を出力することを特徴とする。【選択図】  図１
0003163554.tif 000002
【実用新案登録請求の範囲】
【請求項１】
基本周波数発生器と、クロックパルス監視及び調整回路と、データセーブ部材（data storage）と、周波数発生器と、方形波発生器とを有するシリコン製デジタルオシレータであって、
前記基本周波数発生器は、標準の基本振動周波数を発生するために用いられ、前記クロックパルス監視及び調整回路は、前記標準の基本振動周波数を調整するために用いられ、前記データセーブ部材は、前記標準の基本振動周波数の調整で発生する誤差値を記憶するために用いられ、前記周波数発生器は前記調整後の基本周波数に基づいて出力周波数を発生し、前記方形波発生器は、前記デジタル出力周波数の数値に従ってより大きいデジタル周波数を出力することを特徴とするシリコン製デジタルオシレータ。
【請求項２】
前記データセーブ部材は、電気的に消去可能なPROM（EEPROM）であることを特徴とする請求項１に記載のシリコン製デジタルオシレータ。
【請求項３】
前記データセーブ部材は、周波数調整、デジタル処理の設定値を記入し、これらの設定値を用いて周波数の調整やデジタル処理を設定することができることを特徴とする請求項２に記載のシリコン製デジタルオシレータ。
【請求項４】
前記クロックパルス監視及び調整回路は、基本周波数を調整する期間にフィードバックの周波数を計算し、当該フィードバックの周波数が上下の制御値を超えると、前記クロックパルス監視及び調整回路は前記周波数発生器に調整を行わせ、一方、周波数が範囲内である際、何らの調整を行わないことを特徴とする請求項１に記載のシリコン製デジタルオシレータ。
【考案の詳細な説明】
【技術分野】
【０００１】
本考案は、特に周波数（frequency）を自動的に調整することにより、出力（output）の周波数に対して周波数ジッター（Frequency Jitter）の現象を防止する構成を有するシリコン製デジタルオシレータに関するものである。
【背景技術】
【０００２】
通信領域に、情報の発送端と受信端（receiving end）に周波数が極めて接近するクロックパルス（clock pulse）信号を使用することにより、情報発送や受信（receive）のミスがないことを確保する。これらの周波数の差異は、応用領域によって異なっている。例えば、コンピュータによく使用されるＵＳＢインターフェース（ＵＳＢ interface）の場合、高速（high speed）のモジュールで５００ｐｐｍであり、全速（full speed）のモジュールで２，５００ｐｐｍである。一般には、情報の伝送速度は、高ければ高いほど、その誤差の要求は厳しくなる。高精度の要求を満足するために、発送端と受信端に精度が高い石英製のオシレータを使用するのは一般である。
【０００３】
又、前記石英製のオシレータは、よく使用されるものであるため、特に特許文献や非特許文献に記載されていない。
【考案の概要】
【考案が解決しようとする課題】
【０００４】
しかしながら、従来の石英製のオシレータ及び他の高精度のオシレータは、製造コストが高いし、組立ての失敗率が高いし、表面粘着（SMT）方式で回路板に設置することができないという問題があるため、その装置の製造が難しくなり、製造コストも高くなり、従って、これらの問題を更に改善する必要がある。
【０００５】
そこで、案出されたのが本考案であって、半導体のシリコン回路をオシレータの回路として使用し、従来の石英製のオシレータに発生される問題を防止するシリコン製デジタルオシレータを提供することを目的としている。
【０００６】
本考案の他の目的は、周波数を自動的に調整することにより、出力の周波数に対して周波数ジッターの現象を防止する構成を有するシリコン製デジタルオシレータを提供することである。
【課題を解決するための手段】
【０００７】
前記の目的を図るために、本考案は、基本周波数発生器によって標準の基本周波数を発生し、クロックパルス監視と調整回路によって前記標準の基本周波数を調整することにより、調整後の基本周波数を発生し、調整で発生する誤差値をデータセーブ部材（data saver）に記憶し、周波数発生器が前記調整後の基本周波数に基づいて出力周波数（output frequency）を発生し、前記出力周波数がデジタル信号の処理後にデジタル出力周波数を発生すると共に、方形波発生器に入力（input）し、前記方形波発生器が前記デジタル出力周波数の数値に従ってより大きいデジタル周波数を出力することにより、電流の推進と電圧出力の調整のためにデジタル電源制御装置に提供する。そして、周波数の調整とデジタル処理によって前記方形波発生器から出力されるデジタル周波数が周波数ジッターの現象を有しなく、デジタル電源制御装置に正確な電圧調整を行うことができる。
【０００８】
本考案は上記の課題を解決するものであり、基本周波数発生器と、クロックパルス監視及び調整回路と、データセーブ部材と、周波数発生器と、方形波発生器とを有し、周波数を自動的に調整することにより、出力の周波数に対して周波数ジッターの現象を防止することができる。
【図面の簡単な説明】
【０００９】
【図１】本考案に係るシリコン製デジタルオシレータの構成を示すブロック図である。
【図２】本考案に係るシリコン製デジタルオシレータにより周波数を調整する状態を示す参考図である。
【考案を実施するための形態】
【００１０】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１１】
本考案に係わるシリコン製デジタルオシレータ（１０）は、図１に示すように、主に基本周波数発生器（１１）と、クロックパルス監視及び調整回路（１２）と、データセーブ部材（１３）と、周波数発生器（１４）と、方形波発生器（１５）とを有する。
【００１２】
前記基本周波数発生器（１１）は、標準の基本振動周波数（basic vibration frequency）を発生するために用いられ、前記クロックパルス監視及び調整回路（１２）は、前記標準の基本振動周波数を調整するために用いられ、前記データセーブ部材（１３）は、前記標準の基本振動周波数の調整で発生する誤差値を記憶するために用いられ、前記周波数発生器（１４）は前記調整後の基本周波数に基づいて出力周波数を発生し、前記方形波発生器（１５）は、前記デジタル出力周波数の数値に従ってより大きいデジタル周波数を出力する。
【００１３】
本考案に係わるシリコン製デジタルオシレータ（１０）を使用する時、前記基本周波数発生器（１１）によって標準の基本振動周波数を発生し、前記クロックパルス監視及び調整回路（１２）によって前記標準の基本振動周波数を周波数調整することにより、調整後の基本周波数（２１）を形成すると共に、前記標準の基本振動周波数の調整で発生する誤差値を前記データセーブ部材（１３）に記憶し、前記周波数発生器（１４）は前記調整後の基本周波数（２１）の数値に基づいて出力周波数を発生し、前記出力周波数がデジタル信号処理（２２）にて前記方形波発生器（１５）に入力されるデジタル出力周波数を形成し、前記方形波発生器（１５）は、前記デジタル出力周波数の数値に従ってより大きいデジタル周波数を出力することにより、電流の推進と電圧出力の調整のためにデジタル電源制御装置に提供する。
【００１４】
これにより、周波数の調整とデジタルの処理により、前記方形波発生器（１５）から発生するデジタル周波数が周波数ジッターの現象を有しなく、デジタル電源制御装置に正確な電圧調整を行うことができる。
【００１５】
再び図１に示しように、前記データセーブ部材（１３）は、電気的に消去可能なPROM（EEPROM）であってもよく、次のシリコン製デジタルオシレータの製作参考のために前記標準の基本振動周波数の調整で発生する誤差値を記憶する。同時に、前記データセーブ部材（１３）は、周波数調整、デジタル処理の設定値を記入し、これらの設定値を用いて周波数の調整やデジタル処理を設定することができる。
【００１６】
図２に示すように、前記クロックパルス監視及び調整回路（１２）によって周波数調整する際、基本周波数を調整する期間にフィードバックの周波数を計算し、当該フィードバックの周波数が上下の制御値を超えると、前記クロックパルス監視及び調整回路（１２）は前記周波数発生器（１４）に調整を行わせる。一方、周波数が範囲内である際、何らの調整を行わない。例えば、図２に示した例では、上制御値を超えるＡ、Ｃ点の数値に対して下制御値を超えるＢ、Ｄ点の数値を割ることにより、Ａ、Ｂ、Ｃ、Ｄの４点の数値を平均して出力すると共に、周波数の出力を固定する。
【００１７】
上述したように、基本周波数に基づき調整後の基本周波数を発生し、当該調整後の基本周波数はフィードバックの周波数を計算する際の標準時間の逆数であり、基本周波数に温度の偏差という問題があるため、デジタルの方式で処理することにより、発生した基本周波数は温度又は他の原因で周波数の誤差を発生しなく（標準周波数温度誤差値が15000PPM以下で変わらない）、製造テスト時、この周波数が自ら発生する誤差値をEEPROMに入力し、これにより、製造工程で発生される誤差を防止できる。
【産業上の利用可能性】
【００１８】
本考案は、基本周波数発生器と、クロックパルス監視及び調整回路と、データセーブ部材と、周波数発生器と、方形波発生器とを有するので、周波数を自動的に調整することにより、出力の周波数に対して周波数ジッターの現象を防止することができる。
【符号の説明】
【００１９】
１０        シリコン製デジタルオシレータ
１１        基本周波数発生器
１２        クロックパルス監視及び調整回路
１３        データセーブ部材
１４        周波数発生器
１５        方形波発生器
２１        調整後の基本周波数
２２        デジタル信号処理
【図１】
0003163554.tif 000003
【図２】
0003163554.tif 000004